(57)【要約】【解決手段】フィルタコネクタは取付面を備えた誘電性ハウジングを含む。少なくとも一列の端子収容通路が、取付面を貫通してハウジングに形成される。一列のフィルタ収容ポケットが、取付面を貫通してハウジングに形成され、それぞれ通路と位置合せされ、各ポケットの片側は対応する通路と連通している。ハウジングの取付面にはスロットが形成され、ポケットの対向する側面と連通してポケットの列に沿って延在している。複数の端子は通路に取付けられている。複数のフィルタは、取付面からポケットに挿入されており、フィルタの片側はそれぞれ端子と係合可能である。ハウジングの取付面からスロットに単一の短絡バーが挿入され、前記複数のフィルタの対向する側面と係合している。【選択図】図１
2008527674.tif 000002
【特許請求の範囲】
【請求項１】
誘電性のハウジングであって、取付面と、該取付面を貫通してハウジングに形成された少なくとも一列の端子収容通路と、前記取付面を貫通してハウジングに形成された一列のフィルタ収容ポケットであって各ポケットはそれぞれ前記通路と位置合せされ各ポケットの片側は対応する通路と連通しているフィルタ収容ポケットと、前記ハウジングの取付面に形成されポケットの列に沿って延在しポケットの対向する側面と連通しているスロットとを備えたハウジングと、
該ハウジングの前記通路に挿入された複数の端子と、
前記ハウジングの取付面からハウジングの前記ポケットに挿入された複数のフィルタであって、該フィルタの片側はそれぞれ端子と係合可能であるフィルタと、
前記ハウジングの取付面からハウジングの前記スロットに挿入され前記複数のフィルタの対向する側面と係合する単一の短絡バーとを有するフィルタコネクタ。
【請求項２】
前記ハウジングは嵌合面と終端面とを有し、前記取付面はコネクタの前記終端面である、請求項１に記載のフィルタコネクタ。
【請求項３】
前記端子は端子ピンである、請求項１に記載のフィルタコネクタ。
【請求項４】
前記フィルタはコンデンサである、請求項１に記載のフィルタコネクタ。
【請求項５】
ハウジング内に形成された前記端子収容通路の複数の略平行な列と、これに対応して形成された前記フィルタ収容ポケットの複数の略平行な列と、前記ポケットの各列に沿って延在する前記スロットとを含む、請求項１に記載のフィルタコネクタ。
【請求項６】
前記フィルタを端子に対して付勢するために短絡バーとフィルタとの間に設けられた付勢手段を含む、請求項１に記載のフィルタコネクタ。
【請求項７】
前記付勢手段は短絡バーと一体である、請求項６に記載のフィルタコネクタ。
【請求項８】
前記短絡バーは金属シート材料から打抜き成形され、前記付勢手段は、各フィルタの前記対向する側面と係合可能でバーと一体形成された板ばね部である、請求項７に記載のフィルタコネクタ。
【請求項９】
前記取付面は前記通路、ポケット及びスロットの周囲に形成された凹状領域を備え、該凹状領域に密封用封止剤が充填される、請求項１に記載のフィルタコネクタ。
【請求項１０】
誘電性のハウジングであって、取付面と、該取付面を貫通してハウジングに形成された端子収容通路の複数の略平行な列と、これに対応して前記取付面を貫通してハウジングに形成され前記通路とそれぞれ位置合せされたフィルタ収容ポケットの複数の略平行な列であって各ポケットの片側は対応する通路と連通しているフィルタ収容ポケットの列と、前記ハウジングの取付面に形成されポケットの列に沿って延在しポケットの対向する側面と連通しているスロットとを備えたハウジングと、
該ハウジングの前記通路に挿入された複数のピン端子と、
前記ハウジングの取付面からハウジングの前記ポケットに挿入された複数のコンデンサであって、該コンデンサの片側はそれぞれ端子と係合可能であるコンデンサと、
前記ハウジングの取付面からハウジングの各スロットに挿入されフィルタの対向する側面と係合する単一の短絡バーとを有するフィルタコネクタ。
【請求項１１】
前記ハウジングは嵌合面と終端面とを有し、前記取付面はコネクタの前記終端面である、請求項１０に記載のフィルタコネクタ。
【請求項１２】
前記フィルタを端子に対して付勢するために短絡バーとフィルタとの間に設けられた付勢手段を含む、請求項１０に記載のフィルタコネクタ。
【請求項１３】
前記付勢手段は短絡バーと一体である、請求項１２に記載のフィルタコネクタ。
【請求項１４】
前記短絡バーは金属シート材料から打抜き成形され、前記付勢手段は、各フィルタの前記対向する側面と係合可能でバーと一体形成された板ばね部である、請求項１３に記載のフィルタコネクタ。
【請求項１５】
前記取付面は前記通路、ポケット及びスロットの周囲に形成された凹状領域を備え、該凹状領域に密封用封止剤が充填される、請求項１０に記載のフィルタコネクタ。
【請求項１６】
フィルタコネクタの製造方法であって、
誘電性のハウジングであって、取付面と、該取付面を貫通してハウジングに形成された少なくとも一列の端子収容通路と、前記取付面を貫通してハウジングに形成された一列のフィルタ収容ポケットであって各ポケットはそれぞれ前記通路と位置合せされ各ポケットの片側は対応する通路と連通しているフィルタ収容ポケットと、前記ハウジングの取付面に形成されポケットの列に沿って延在しポケットの対向する側面と連通しているスロットとを備えたハウジングを提供するステップと、
前記ハウジングの前記通路に複数の端子を挿入するステップと、
前記ハウジングの取付面からハウジングの前記ポケットに複数のフィルタを挿入するステップであって、前記フィルタの片側はそれぞれ端子と係合可能であるステップと、
前記ハウジングの取付面から単一の短絡バーをハウジングの前記スロットに挿入し、前記複数のフィルタの対向する側面と係合させるステップとを含むフィルタコネクタの製造方法。
【請求項１７】
前記端子をピン端子として提供するステップを含む、請求項１６に記載の方法。
【請求項１８】
前記フィルタをコンデンサとして提供するステップを含む、請求項１６に記載の方法。
【請求項１９】
前記ハウジングであって、該ハウジング内に形成された前記端子収容通路の複数の略平行な列と、これに対応して形成された前記フィルタ収容ポケットの複数の略平行な列と、ポケットの各列に沿って延在する前記スロットとを備えるハウジングを提供するステップを含む、請求項１６に記載の方法。
【請求項２０】
前記ハウジングの取付面の前記通路、ポケット及びスロットへの開口の周りに密封用封止剤を適用するステップを含む、請求項１６に記載の方法。
【請求項２１】
前記ハウジングには、前記通路、ポケット及びスロットへの開口の周りに形成された凹部が設けられ、前記密封用封止剤は前記凹部に充填することによって適用される、請求項２０に記載の方法。
【発明の詳細な説明】
【技術分野】
【０００１】
本発明は、一般に、電気コネクタの分野に関し、特に、コネクタの端子と短絡バーとの間に複数のコンデンサ等の電子部品を実装したフィルタコネクタに関する。短絡バーは接地プレートとすることができる。本発明は、さらに、このフィルタコネクタの製造方法に関する。
【背景技術】
【０００２】
コネクタの誘電性ハウジングの一面に通常取付けられている接地プレート（すなわち、接地面）あるいは短絡バーとコネクタの端子との間にコンデンサ等の電子部品を組込んだ「フィルタ」コネクタ呼ばれる電気コネクタは各種存在する。フィルタは電磁障害と、コネクタシステムに入ってくる無線周波障害とを抑制するために使用される。
【発明の開示】
【発明が解決しようとする課題】
【０００３】
このようなフィルタコネクタに伴う問題の１つは、単純にそのコストである。通常、接地プレートあるいは短絡バーは導電性金属材料から打抜き成形によって製造され、コネクタの誘電性ハウジングに別々に取付けられる。次に、端子がコネクタハウジングに取付けられる。その後、フィルタコンデンサを端子と接地プレートとの間に組込まなければならない。これらの工程には時間がかかる上、組立工具も必要であり、それらすべてがコネクタのコストを高く上昇させている。大量生産においては、信頼性と性能の両方が問題となることが多い。一般的には、端子はコネクタハウジングに一方の方向から取付けられるか又は挿入されるが、コンデンサは異なる方向からハウジングに取付けられるか又は挿入され、接地プレート又は短絡バーは同一の又は異なる方向から取付けられるか又は組立てられる。これら組立作業すべてが比較的高価な組立工具を要する。本発明は、これら様々な問題を解決することを目的とする。
【課題を解決するための手段】
【０００４】
したがって、本発明の目的は、新規で改良された前述のタイプのフィルタコネクタと、該コネクタの製造又は組立方法とを提供することである。
【０００５】
本発明の例示的な実施形態においては、コネクタは、取付面を備えた誘電性ハウジングを含む。少なくとも一列の端子収容通路が、取付面を貫通してハウジングに形成される。一列のフィルタ収容ポケットが、取付面を貫通してハウジングに形成され、それぞれ通路と位置合せされ、各ポケットの片側は対応する通路と連通している。ハウジングの取付面にはスロットが形成され、ポケットの対向する側面と連通してポケットの列に沿って延在している。複数の端子は通路に取付けられている。複数のフィルタは、取付面からポケットに挿入されており、フィルタの片側はそれぞれ端子と係合可能である。ハウジングの取付面からスロットに単一の短絡バーが挿入され、前記複数のフィルタの対向する側面と係合している。
【０００６】
本発明の１つの形態によれば、端子に対してフィルタを付勢するために短絡バーとフィルタとの間に付勢手段が設けられている。好ましくは、該付勢手段は短絡バーと一体である。本明細書に記載したように、短絡バーは、金属シート材料から打抜き成形され、付勢手段は、各フィルタと係合可能でバーと一体形成された板ばね部である。したがって、フィルタは対応する通路内に幾分ゆるく取付けられているため、付勢手段あるいは板ばねは組立体を締めるのに有効である。
【０００７】
本発明の他の形態によれば、端子は端子ピンである。フィルタはコンデンサである。ハウジングは嵌（かん）合面と終端面とを有し、取付面はコネクタの終端面である。好ましい実施形態においては、端子収容通路の複数の略平行な列がハウジングに形成されるとともに、これに対応してフィルタ収容ポケットの複数の略平行な列が形成される。短絡バーを収容するために、スロットがポケットの各列に沿って形成される。
【０００８】
本発明の他の目的、特徴及び利点は、添付図面と関連して行われる以下の詳細の説明から明らかになるであろう。
【０００９】
新規と考えられる本発明の各特徴は特許請求の範囲に詳細に述べられている。本発明は、その目的や利点とともに、添付図面と関連して行われる以下の詳細の説明から最もよく理解することができるであろう。各図において同様の符号は同様の要素を示す。
【発明を実施するための最良の形態】
【００１０】
図面を詳細に参照する。最初に図１を参照すると、本発明は全体を１０で示すフィルタ電気コネクタにおいて具体化されている。該フィルタ電気コネクタ１０は、全体を１２で示す誘電性ハウジングと、端子ピン１４の形状の複数の端子と、複数の接地プレートあるいは短絡バー１６と、コンデンサ１８の形状の複数のフィルタとを含む。説明を進める前に次のことに注意されたい。コネクタ１０のハウジング１２は、１列１４本の端子ピン１４を４列収容している。一方、図面では、コンデンサ１８は各列５個しか示されていない。このように図に示したのは、図面を複雑にするのを避けるためであり、１４本の端子ピンの各列に対して１４個のコンデンサが存在すると理解されたい。さらに、図１においては、短絡バー１６が切断されて各列５個のコンデンサとしか係合しないように示されている。しかし、各短絡バーは、各列において１４本のピンに対応した１４個のコンデンサから成る列の全長に亘（わた）って延在しているものと理解されたい。
【００１１】
このような理解の下で説明を進める。コネクタ１０のハウジング１２は、誘電性材料等によって成形することができる。ハウジングは嵌合面１２ａと終端面１２ｂとを含む。この構成においては、終端面は、明細書及び特許請求の範囲において取付面と考えることができる。該取付面は２０で示すように凹状であるが、これは、端子ピン１４、短絡バー１６及びコンデンサ１８を嵌合面１２ａあるいは取付面１２ｂからハウジングに挿入した後、封止剤（図示せず）を収容するためである。ハウジングの終端部にはプラグ部１２ｃが形成されており、該プラグ部は周縁溝２２によって取囲まれている。コネクタの金属ケース（図示せず）が周縁溝に組立てられ、短絡バー１６は、後で説明するが、金属ケースに接地される。
【００１２】
図１と組合せて図２及び３を参照すると、ハウジング１２は、該ハウジング１２の取付面１２ｂを貫通して形成された４列の端子収容通路２４を有する。ハウジングは、取付面を貫通し、端子収容通路とそれぞれ位置合せされた４列のフィルタ収容ポケット２６を有する。ハウジングの取付面には、フィルタ収容ポケット２６の各列に沿って延在し、該フィルタ収容ポケットの対向する側面と連通したスロット２８が形成されている。
【００１３】
次に、図４及び５に示す拡大図を参照しながら、コネクタ１０を製造するあるいは組立てる独特な方法と関連して各種部品の詳細を説明する。具体的には、最初に、端子ピン１４をハウジング１２の通路２４内に、嵌合面１２ａあるいは取付面１２ｂから挿入する。端子は、例えば、圧入によって極めてきつい状態で通路に挿入され、これにより、端子は通路内に組立状態で固定される。次に、コンデンサ１８を、再びハウジングの取付面１２ｂからフィルタ収容ポケット２６に挿入する、すなわち、組立てる。本発明の独特の概念は、コンデンサはポケット内に幾分ゆるく、すなわち、少なくとも、コンデンサの各ポケットへの挿入が非常に容易になる程度にゆるく組立てられることである。実際には、コンデンサは各ポケットに「一括配置」される、すなわち、一列が一度に配置される。コンデンサとポケットとの間の嵌合が比較的ゆるいため、この一括挿入プロセスは容易である。
【００１４】
次に、短絡バー１６を、再びハウジングの取付面１２ｂから各スロット２８に挿入する。短絡バーは、錫（すず）めっき鋼等の金属シート材料から打抜き成形される。短絡バーには、複数の板ばね３０の形状の付勢手段が設けられる。板ばね３０はそれぞれコンデンサ１８に係合し、該コンデンサを端子ピンに対して付勢する。本質的には、コンデンサが各ポケットに幾分ゆるく組立てられているため、ばねはこの組立体を「締める」のに有効である。
【００１５】
図５に示すように最終組立されると、各コンデンサ１８の片側１８ａは対応する板ばね３０によって付勢されて対応するポケット２６の対応する端子収容通路と連通する側面を貫通する。対応するポケット２６の反対側は、短絡バー１６を収容する対応するスロット２８と連通していることから、前記板ばね３０はコンデンサの反対側１８ｂと係合する。
【００１６】
端子ピン１４、コンデンサ１８及び短絡バー１６がハウジングに組立てられると、取付面１２ｂの凹部２０には密封用封止剤が充填（てん）される。該封止剤は液体状態で凹部に注がれ硬化することによって、コネクタの取付面全体を完全に密封し、これにより、端子ピン、コンデンサ及び短絡バーの組立が終了する。さらに、封止剤はすべての部品を互いに対して固定し、コネクタの全寿命期間に亘って機械的、電気的接続を維持する。
【００１７】
最後に、戻って図３を参照すると、短絡バー１６の最外縁部は、３６に示すようにギザギザ状あるいは鋸（のこ）歯状に形成されていることが分かる。この凹凸あるいは鋭角の縁部はハウジングの溝２２内において金属ケースに喰（くい）込み、短絡バーを金属ケースに接地する。
【００１８】
これまでの説明から分かるように、コネクタ１０の製造あるいは組立は、ハウジングの同一面から端子ピン１４、コンデンサ１８及び短絡バー１６を組立てることによって、非常に簡単に実施することができる。これにより、コネクタの組立工具は極めて単純化される。端子ピンは、通路２４に圧入されるため、ハウジングの向きに関わらずハウジングの嵌合面と取付面のいずれからも組立てることができる。さらに、コネクタの密封も非常に簡単にすることができる。すなわち、コネクタの一面に形成された単一の凹部に密封用封止剤を充填するだけで、部品を組込む通路／ポケット／スロットのすべてを密封することができる。
【００１９】
本発明は、本発明の思想あるいは中心的な特徴から逸脱することなく、他の特定の形態において具体化することができることは理解できるであろう。したがって、本実施例及び実施形態は、いかなる面においても例示であって本発明を限定するものではないと考えるべきである。本発明は、本明細書に記載した細部に限定されるものではない。
【図面の簡単な説明】
【００２０】
【図１】本発明の概念を具体化する電気コネクタの分解斜視図である。
【図２】組立状態のコネクタの一端側から見た拡大部分斜視図である。
【図３】図示を簡単にするため更に拡大した図２と同様の部分斜視図である。
【図４】図２の４−４線で切断した垂直断面図である。
【図５】図示を簡単にするため更に拡大した図４の断面図の一部の図である。
【図１】
2008527674.tif 000003
【図２】
2008527674.tif 000004
【図３】
2008527674.tif 000005
【図４】
2008527674.tif 000006
【図５】
2008527674.tif 000007
【国際調査報告】
2008527674.tif 000008
2008527674.tif 000009